(57)【特許請求の範囲】
【請求項１】
認証対象者を識別する識別情報および顔画像を記録した記録媒体から前記認証対象者の識別情報および顔画像を読み取る認証端末と、
入退室の許可者を示す許可情報を記憶する管理データベースと、
前記識別情報と前記許可情報とを照合する認証処理を行う認証装置と、
前記認証装置の照合結果に基づいて扉の開閉を制御する扉制御装置と、
を具備し、
前記認証装置は、
前記認証端末が前記識別情報の読み取りを行ったことの通知を受けた場合に、前記認証処理を行うとともに、前記扉周辺の所定範囲を撮影する監視カメラにより撮像された前記識別情報が読み取られた時点を含む所定期間の映像データから人物の顔を検出して顔周辺の画像を切り出した顔画像と、前記認証端末により前記識別情報とともに読み取られた顔画像とを並べてモニタに表示させる、
入退室管理システム。
【請求項２】
認証対象者を識別する識別情報を記録した記録媒体から前記認証対象者の識別情報を読み取る認証端末と、
入退室の許可者を示す許可情報を前記許可者の顔画像と関連付けて記憶する管理データベースと、
前記識別情報と前記許可情報とを照合する認証処理を行う認証装置と、
前記認証装置の照合結果に基づいて扉の開閉を制御する扉制御装置と、
を具備し、
前記認証装置は、
前記認証端末が前記識別情報の読み取りを行ったことの通知を受けた場合に、前記認証処理を行うとともに、前記扉周辺の所定範囲を撮影する監視カメラにより撮像された前記識別情報が読み取られた時点を含む所定期間の映像データから人物の顔を検出して顔周辺の画像を切り出した顔画像と、前記識別情報と照合された許可情報に関連付けられた許可者の顔画像とを並べてモニタに表示させる、
入退室管理システム。
【発明の詳細な説明】
【技術分野】
【０００１】
本発明は、入退室者の管理を行う入退室管理システムに関する。
【背景技術】
【０００２】
従来、入退室者が保有するＩＣカードと、監視カメラで撮影した入退室者の顔画像と、により入退室者の入退室を管理する入退室管理システムが知られている。
【０００３】
特許文献１は、入退室管理システムに関し、ＩＣカードの保有者の顔の画像を関連付けて登録したＩＣカードをカードリーダ等によって読み取り、読み取ったＩＣカードの識別情報と予め登録されている識別情報とが一致した場合に、ＩＣカードに登録されている顔の画像を携帯情報端末に表示する構成を開示している。これにより、携帯情報端末に表示された顔の画像と、監視カメラで撮影されてモニタに表示された入退室者の映像とを比較し、入退室者の管理を行うことができる。
【先行技術文献】
【特許文献】
【０００４】
【特許文献１】特開２０１３−１２０５９５号公報
【発明の概要】
【発明が解決しようとする課題】
【０００５】
しかしながら、特許文献１においては、入退室者が監視カメラの前で静止せずに監視カメラの前を移動する場合、監視カメラで撮影できる一人当たりの時間は短時間であるため、監視者が、携帯情報端末に表示された顔の画像と、モニタに表示された映像の顔画像とが一致するか否かを短時間の間に見比べて判断することが困難であるという課題を有する。また、特許文献１においては、監視カメラで撮影した映像上の顔画像が小さい場合、監視者が、携帯情報端末に表示された顔の画像と、モニタに表示された映像の顔画像とが一致するか否かを判断することが困難であるという課題を有する。
【０００６】
本発明の目的は、入退室者を管理する管理者がモニタに表示された顔画像を見て、容易に入退室管理を行うことができる入退室管理システムを提供することである。
【課題を解決するための手段】
【０００７】
本発明に係る入退室管理システムは、認証対象者を識別する識別情報および顔画像を記録した記録媒体から前記認証対象者の識別情報および顔画像を読み取る認証端末と、入退室の許可者を示す許可情報を記憶する管理データベースと、前記識別情報と前記許可情報とを照合する認証処理を行う認証装置と、前記認証装置の照合結果に基づいて扉の開閉を制御する扉制御装置と、を具備し、前記認証装置は、前記認証端末が前記識別情報の読み取りを行ったことの通知を受けた場合に、前記認証処理を行うとともに、前記扉周辺の所定範囲を撮影する監視カメラにより撮像された前記識別情報が読み取られた時点を含む所定期間の映像データから人物の顔を検出して顔周辺の画像を切り出した顔画像と、前記認証端末により前記識別情報とともに読み取られた顔画像とを並べてモニタに表示させる。
【発明の効果】
【０００８】
本発明によれば、入退室者を管理する管理者がモニタに表示された顔画像を見て、容易に入退室管理を行うことができる。
【図面の簡単な説明】
【０００９】
【図１】本発明の実施の形態１に係る入退室管理システムの構成を示すブロック図
【図２】本発明の実施の形態１に係る入退室管理システムの動作を示すフロー図
【図３】本発明の実施の形態２に係る入退室管理システムの構成を示すブロック図
【図４】本発明の実施の形態２に係る入退室管理システムの動作を示すフロー図
【図５】本発明の実施の形態３に係る入退室管理システムの構成を示すブロック図
【図６】本発明の実施の形態３に係る入退室管理システムの動作を示すフロー図
【図７】本発明の実施の形態４に係る入退室管理システムの構成を示すブロック図
【図８】本発明の実施の形態４に係る入退室管理システムの動作を示すフロー図
【発明を実施するための形態】
【００１０】
以下、図面を適宜参照して、本発明の実施の形態について、詳細に説明する。
【００１１】
（実施の形態１）
＜入退室管理システムの構成＞
まず、本発明の実施の形態１に係る入退室管理システム１の構成について、図１を用いて詳細に説明する。
【００１２】
図１に示すように、入退室管理システム１は、カメラ１１と、認証端末１２と、管理データベース１３と、認証装置１４と、モニタ１５と、扉制御装置１６と、扉１７と、を有している。認証装置１４は、映像監視部１４１と、入退室管理部１４２と、照合部１４３と、認証部１４４と、を有している。
【００１３】
なお、図１に示す記録媒体Ｐ１は、認証対象者が保持しているものであり、所有者の識別情報と顔画像とを記録している。識別情報は、典型的には認証対象者に固有のＩＤコードである。通常、記録媒体Ｐ１の所有者と、記録媒体Ｐ１を保持する認証対象者とは一致する。
【００１４】
カメラ１１は、監視カメラであり、扉１７周辺の所定範囲を撮影（撮像）する。カメラ１１は、入退室者の少なくとも顔を含む部分を撮影し、撮影した映像データを映像監視部１４１に出力する。
【００１５】
認証端末１２は、扉１７の周辺に設置され、認証対象者がかざした記録媒体Ｐ１から、識別情報及び顔画像を読み取って入退室管理部１４２に出力する。
【００１６】
管理データベース１３は、入退室の許可者を示す許可情報を予め記憶している。許可情報は、典型的には入退室の許可者に固有のＩＤコードである。
【００１７】
認証装置１４は、カメラ１１から出力された画像データと認証端末１２から出力された画像データとに基づいて、カメラ１１で撮影した入退室者の顔画像と記録媒体Ｐ１に記録されている顔画像とを、モニタ１５に並べて表示する表示制御処理を行う。また、認証装置１４は、認証端末１２から出力された識別情報と管理データベース１３に記憶されている許可情報とを照合し、照合結果に基づいて扉制御装置１６を駆動させる制御を行う。
【００１８】
画像制御部である映像監視部１４１は、認証端末１２が読み取りを行ったことを入退室管理部１４２から通知されると、その時点を含む所定期間において、カメラ１１から出力された映像データから人物の顔を検出して顔周辺の画像を切り出すベストショット処理を行う。映像監視部１４１は、ベストショット処理により切り出した顔周辺の画像のベストショットデータを照合部１４３に出力する。なお、映像監視部１４１は、認証端末１２が識別情報を読み取った時点を含む所定期間における映像データから同一人物の複数の顔画像を検出した場合、複数の顔画像のうち最も鮮明な顔画像をベストショットデータとする。
【００１９】
入退室管理部１４２は、認証端末１２からデータを入力すると、認証端末１２が読み取りを行ったことを映像監視部１４１に通知する。また、入退室管理部１４２は、認証端末１２から出力された顔画像を照合部１４３に出力し、認証端末１２から出力された識別情報を認証部１４４に出力する。
【００２０】
表示制御部である照合部１４３は、入退室管理部１４２から出力された顔画像と、映像監視部１４１から出力されたベストショットデータの顔画像とを照合して合致度を算出する。具体的には、照合部１４３は、各々の顔画像における複数の特徴点を抽出して数値化し、数値化した特徴点の数値の差分に応じた合致度を算出する。この場合、差分が小さいほど合致度が大きくなり、合致度が大きくなるほど同一人物である可能性が高くなる。そして、照合部１４３は、モニタ１５に、照合を行った２つの顔画像および合致度を出力する。なお、照合部１４３は、モニタ１５に、ベストショットデータの顔画像を拡大して表示させるようにしてもよい。
【００２１】
認証部１４４は、入退室管理部１４２から出力された識別情報と、管理データベース１３に記憶されている許可情報とを照合することにより認証処理を行う。認証部１４４は、認証処理の結果、識別情報がいずれかの許可情報と一致した場合に扉制御装置１６を駆動させて扉を開く制御を行う。
【００２２】
モニタ１５は、照合部１４３から出力された２つの顔画像を並べて表示し、さらに合致度を表示する。
【００２３】
扉制御装置１６は、認証部１４４の制御により駆動して、扉１７の開閉を行う。
【００２４】
＜入退室管理システムの動作＞
次に、本実施の形態に係る入退室管理システム１の動作について、図２を用いて詳細に説明する。
【００２５】
まず、カメラ１１は、入退室者を撮影し（Ｓ１）、映像データを映像監視部１４１に出力する。
【００２６】
次に、映像監視部１４１は、映像データに基づいてベストショット処理を行い、ベストショットを切り出す（Ｓ２）。
【００２７】
次に、認証端末１２は、記録媒体Ｐ１より識別情報及び顔画像を読み込む（Ｓ３）。
【００２８】
次に、照合部１４３は、映像監視部１４１におけるベストショット処理により切り出したベストショットデータの顔画像と、記録媒体Ｐ１より読み込んだ顔画像との合致度を算出する（Ｓ４）。
【００２９】
次に、モニタ１５は、照合部１４３の表示制御処理により、カメラ１１で撮影した入退室者の顔画像と記録媒体Ｐ１より読み込んだ識別情報の顔画像とを並べて表示する（Ｓ５）。この際、照合部１４３は、算出した合致度を顔画像と共にモニタ１５に表示させてもよい。これにより、監視者は、モニタ１５に表示された顔画像を、合致度を参考にしながら比較判断することができる。
【００３０】
なお、照合部１４３は、切り出されたベストショットの顔画像が複数存在する場合において、記録媒体Ｐ１より読み込んだ顔画像との合致度が閾値以上のベストショットの顔画像が複数存在する場合には、合致度が閾値以上のベストショットの顔画像を全てモニタ１５に表示させる。この際、照合部１４３は、合致度の大きい顔画像から順番にモニタ１５に表示させるようにする。これにより、入退室を管理する管理者は、合致度の大きい顔画像から順番に見ていけばよいので、効率よく顔画像を比較判断することができる。また、扉を開けた状態で扉の後方にいる人を含めた複数人が映っている状況においても、入退室を管理する管理者は、効率よく顔画像を比較判断することができる。
【００３１】
＜効果＞
以上のように、本実施の形態によれば、ベストショット処理により映像データから切り出した顔画像をモニタ１５に表示するので、監視者が、記録媒体Ｐ１から読み込んだ顔画像との比較を容易に行うことができる。また、ベストショット処理により映像データから切り出した顔画像を拡大して表示すれば、監視者は、記録媒体Ｐ１から読み込んだ顔画像との比較を更に容易に行うことができる。
【００３２】
（実施の形態２）
＜入退室管理システムの構成＞
実施の形態２では、管理データベースが、入退室の許可者を示す許可情報を許可者の顔画像と関連付けて記憶している場合について説明する。
【００３３】
図３は、本発明の実施の形態２に係る入退室管理システム２の構成を示すブロック図である。なお、図３において、図１と共通する構成部分については同一符号を付して、その説明を省略する。
【００３４】
本実施の形態では、図３に示す入退室管理システム２の、認証端末２２、管理データベース２３、認証装置２４の入退室管理部２４２、照合部２４３、認証部２４４の処理内容が、図１に示した入退室管理システム１のものと異なる。
【００３５】
なお、図３に示す記録媒体Ｐ２は、所有者の識別情報を記録していれば良く、所有者の顔画像を記録していなくても良い。
【００３６】
認証端末２２は、扉１７の周辺に設置され、記録媒体Ｐ２から識別情報を読み取って入退室管理部２４２に出力する。
【００３７】
管理データベース２３は、入退室の許可者を示す許可情報とその許可者の顔画像とを関連付けて予め記憶している。
【００３８】
映像監視部１４１は、ベストショット処理により切り出した顔周辺の画像のベストショットデータを照合部２４３に出力する。
【００３９】
入退室管理部２４２は、認証端末２２からデータを入力すると、認証端末２２が読み取りを行ったことを映像監視部１４１に通知する。また、入退室管理部２４２は、認証端末２２から出力された識別情報を認証部２４４に出力する。
【００４０】
照合部２４３は、認証部２４４から出力された顔画像と、映像監視部１４１から出力されたベストショットデータの顔画像とを照合して合致度を算出する。そして、照合部２４３は、モニタ１５に、照合を行った２つの顔画像および合致度を出力する。
【００４１】
認証部２４４は、入退室管理部２４２から出力された識別情報と、管理データベース２３に記憶されている許可情報とを照合することにより認証処理を行う。認証部２４４は、認証処理の結果、識別情報がいずれかの許可情報と一致した場合に扉制御装置１６を駆動させて扉を開く制御を行う。さらに、認証部２４４は、識別情報と一致した許可情報に対応付けられた許可者の顔画像を照合部２４３に出力する。
【００４２】
モニタ１５は、照合部２４３から出力された２つの顔画像を並べて表示し、さらに合致度を表示する。
【００４３】
扉制御装置１６は、認証部２４４の制御により駆動して、扉１７の開閉を行う。
【００４４】
＜入退室管理システムの動作＞
本発明の実施の形態２に係る入退室管理システム２の動作について、図４を用いて詳細に説明する。
【００４５】
まず、カメラ１１は、入退室者を撮影し（Ｓ１１）、映像データを映像監視部１４１に出力する。
【００４６】
次に、映像監視部１４１は、映像データに基づいてベストショット処理を行い、ベストショットを切り出す（Ｓ１２）。
【００４７】
次に、認証端末２２は、記録媒体Ｐ２より識別情報を読み込む（Ｓ１３）。
【００４８】
次に、認証部２４４は、入退室管理部２４２から出力された識別情報と、管理データベース２３に記憶されている許可情報と、を照合し、識別情報と許可情報とが一致するか否かを判定する（Ｓ１４）。
【００４９】
識別情報がいずれかの許可情報と一致する場合（Ｓ１４：ＹＥＳ）、認証部２４４は、当該許可情報の顔画像を抽出して照合部２４３に出力する（Ｓ１５）。
【００５０】
次に、照合部２４３は、映像監視部１４１におけるベストショット処理により切り出したベストショットデータの顔画像と、許可情報の顔画像との合致度を算出する（Ｓ１６）。
【００５１】
次に、モニタ１５は、照合部２４３の表示制御処理により、カメラ１１で撮影した入退室者の顔画像と許可情報の顔画像とを並べて表示する（Ｓ１７）。この際、照合部２４３は、算出した合致度を顔画像と共にモニタ１５に表示させてもよい。これにより、監視者は、モニタ１５に表示された顔画像を、合致度を参考にしながら比較判断することができる。
【００５２】
なお、Ｓ１４において、識別情報がいずれの許可情報とも一致しない場合（Ｓ１４：ＮＯ）、認証部２４４は、何も処理を行わない。
【００５３】
＜効果＞
以上のように、本実施の形態によれば、ベストショット処理により映像データから切り出した顔画像をモニタ１５に表示するので、監視者が、許可情報に関連付けられた顔画像との比較を容易に行うことができる。また、ベストショット処理により映像データから切り出した顔画像を拡大して表示すれば、監視者は、許可情報に関連付けられた顔画像との比較を更に容易に行うことができる。
【００５４】
（実施の形態３）
＜入退室管理システムの構成＞
図５は、本発明の実施の形態３に係る入退室管理システム３の構成を示すブロック図である。なお、図５において、図１と共通する構成部分については同一符号を付して、その説明を省略する。
【００５５】
本実施の形態では、図５に示す入退室管理システム３の、認証装置３４の照合部３４３、認証部３４４の処理内容が、図１に示した入退室管理システム１のものと異なる。
【００５６】
映像監視部１４１は、ベストショット処理により切り出した顔周辺の画像のベストショットデータを照合部３４３に出力する。入退室管理部１４２は、認証端末１２から出力された顔画像を照合部３４３に出力し、認証端末１２から出力された識別情報を認証部３４４に出力する。
【００５７】
照合部３４３は、入退室管理部１４２から出力された画像データの顔画像と、映像監視部１４１から出力されたベストショットデータの顔画像と、を照合して合致度を算出する。そして、照合部３４３は、合致度を認証部３４４に出力する。
【００５８】
認証部３４４は、入退室管理部１４２から出力された識別情報と、管理データベース１３に記憶されている許可情報とを照合することにより認証処理を行う。認証部３４４は、認証処理の結果、識別情報がいずれかの許可情報と一致した場合、かつ、照合部３４３から出力された合致度が所定の閾値以上の場合に扉制御装置１６を駆動させて扉を開く制御を行う。
【００５９】
扉制御装置１６は、認証部３４４の制御により駆動して、扉１７の開閉を制御する。
【００６０】
＜入退室管理システムの動作＞
本発明の実施の形態３に係る入退室管理システム３の動作について、図６を用いて詳細に説明する。
【００６１】
まず、カメラ１１は、入退室者を撮影し（Ｓ２１）、映像データを映像監視部１４１に出力する。
【００６２】
次に、映像監視部１４１は、画像データに基づいてベストショット処理を行い、ベストショットを切り出す（Ｓ２２）。
【００６３】
次に、認証端末１２は、記録媒体Ｐ１より識別情報及び顔画像を読み込む（Ｓ２３）。
【００６４】
次に、照合部３４３は、映像監視部１４１におけるベストショット処理により切り出したベストショットデータの顔画像と、記録媒体Ｐ１より読み込んだ顔画像との合致度を算出する（Ｓ２４）。
【００６５】
次に、認証部３４４は、入退室管理部１４２から出力された識別情報と、管理データベース１３に記憶されている許可情報と、を照合し、識別情報と許可情報とが一致するか否かを判定する（Ｓ２５）。
【００６６】
識別情報と許可情報とが一致する場合（Ｓ２５：ＹＥＳ）、認証部３４４は、照合部３４３で算出された合致度が所定の閾値以上であるか否かを判定する（Ｓ２６）。
【００６７】
合致度が閾値以上である場合（Ｓ２６：ＹＥＳ）、認証部３４４は、扉制御装置１６を駆動させて扉を解錠する（Ｓ２７）。
【００６８】
一方、認証部３４４は、識別情報と許可情報とが一致しない場合（Ｓ２５：ＮＯ）、又は、合致度が所定の閾値未満の場合（Ｓ２６：ＮＯ）、認証失敗と判断して（Ｓ２８）、扉制御装置１６を駆動させない。
【００６９】
なお、本実施の形態において、照合部３４３は、上記実施の形態１の照合部１４３と同様に、入退室管理部１４２から出力された画像データの顔画像と、映像監視部１４１から出力されたベストショットデータの顔画像と、を並べてモニタ１５に表示させる表示制御処理を行うようにしてもよい。
【００７０】
＜効果＞
本発明によれば、顔認証と識別情報認証との両方を同一システムで行うことにより、システムを小型化することができると共にシステムを安価に導入することができる。
【００７１】
（実施の形態４）
＜入退室管理システムの構成＞
本発明の実施の形態４に係る入退室管理システム４の構成について、図７を用いて詳細に説明する。なお、図７において、図３と共通する構成部分については同一符号を付して、その説明を省略する。
【００７２】
本実施の形態では、図７に示す入退室管理システム４の、認証装置４４の照合部４４３、認証部４４４の処理内容が、図３に示した入退室管理システム２のものと異なる。
【００７３】
映像監視部１４１は、ベストショット処理により切り出した顔周辺の画像のベストショットデータを照合部４４３に出力する。入退室管理部２４２は、認証端末２２から出力された識別情報を認証部４４４に出力する。
【００７４】
照合部４４３は、認証部４４４から出力された顔画像と、映像監視部１４１から出力されたベストショットデータの顔画像とを照合して合致度を算出する。そして、照合部４４３は、合致度を認証部４４４に出力する。
【００７５】
認証部４４４は、入退室管理部２４２から出力された識別情報と、管理データベース２３に記憶されている許可情報とを照合することにより認証処理を行う。さらに、認証部４４４は、識別情報と一致した許可情報に対応付けられた許可者の顔画像を照合部４４３に出力する。そして、認証部４４４は、認証処理の結果、識別情報がいずれかの許可情報と一致した場合、かつ、照合部４４３から出力された合致度が所定の閾値以上の場合に扉制御装置１６を駆動させて扉を開く制御を行う。
【００７６】
扉制御装置１６は、認証部４４４の制御により駆動して、扉１７の開閉を行う。
【００７７】
＜入退室管理システムの動作＞
本発明の実施の形態４に係る入退室管理システム４の動作について、図８を用いて詳細に説明する。
【００７８】
まず、カメラ１１は、入退室者を撮影し（Ｓ３１）、映像データを映像監視部１４１に出力する。
【００７９】
次に、映像監視部１４１は、映像データに基づいてベストショット処理を行い、ベストショットを切り出す（Ｓ３２）。
【００８０】
次に、認証端末２２は、記録媒体Ｐ２より識別情報を読み込む（Ｓ３３）。
【００８１】
次に、認証部４４４は、入退室管理部２４２から出力された識別情報と、管理データベース２３に記憶されている許可情報と、を照合し、識別情報と許可情報とが一致するか否かを判定する（Ｓ３４）。
【００８２】
識別情報がいずれかの許可情報と一致する場合（Ｓ３４：ＹＥＳ）、認証部４４４は、当該許可情報の顔画像を抽出して照合部４４３に出力する（Ｓ３５）。
【００８３】
次に、照合部４４３は、映像監視部１４１におけるベストショット処理により切り出したベストショットデータの顔画像と、許可情報の顔画像との合致度を算出する（Ｓ３６）。
【００８４】
次に、認証部４４４は、照合部４４３で算出された合致度が所定の閾値以上であるか否かを判定する（Ｓ３７）。
【００８５】
合致度が閾値以上である場合（Ｓ３７：ＹＥＳ）、認証部４４４は、扉制御装置１６を駆動させて扉を解錠する（Ｓ３８）。
【００８６】
一方、認証部４４４は、識別情報と許可情報とが一致しない場合（Ｓ３４：ＮＯ）、又は、合致度が所定の閾値未満の場合（Ｓ３７：ＮＯ）、認証失敗と判断して（Ｓ３９）、扉制御装置１６を駆動させない。
【００８７】
なお、本実施の形態において、照合部４４３は、上記実施の形態２の照合部２４３と同様に、認証部４４４から出力された顔画像と、映像監視部１４１から出力されたベストショットデータの顔画像と、を並べてモニタ１５に表示させる表示制御処理を行うようにしてもよい。
【００８８】
＜効果＞
本発明によれば、顔認証と識別情報認証との両方を同一システムで行うことにより、システムを小型化することができると共にシステムを安価に導入することができる。
【００８９】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更可能である。
【００９０】
具体的には、上記各実施の形態において、合致度が閾値未満の場合にアラームを鳴らすようにしてもよい。この場合、監視者に対して、入退室を許可されていない者が入退室しようとしている可能性のあることを警告することができる。
【００９１】
さらに、上記各実施の形態において、年齢又は身長等の条件を予め設定しておいて、設定した条件と、ベストショットデータの顔画像から判断した年齢又は身長との差が閾値以上の場合に、アラームを鳴らすようにしてもよい。
【００９２】
また、上記各実施の形態において、認証装置１４の映像監視部１４１にてベストショットを作成する場合について説明したが、本発明はこれに限られず、カメラ１１にてベストショットを作成することもできる。
【産業上の利用可能性】
【００９３】
本発明に係る入退室管理システムは、入退室者の管理を行うのに好適である。
【符号の説明】
【００９４】
１、２、３、４  入退室管理システム
１１  カメラ
１２、２２  認証端末
１３、２３  管理データベース
１４、２４、３４、４４  認証装置
１５  モニタ
１６  扉制御装置
１７  扉
１４１  映像監視部
１４２、２４２  入退室管理部
１４３、２４３、３４３、４４３  照合部
１４４、２４４、３４４、４４４  認証部
【要約】
【課題】入退室者を管理する管理者がモニタに表示された顔画像を見て、容易に入退室管理を行うこと。
【解決手段】入退室管理システム１は、記録媒体Ｐ１から認証対象者の識別情報および顔画像を読み取る認証端末１２と、識別情報と許可情報とを照合することにより認証を行う認証装置１４と、認証装置１４の照合結果に基づいて扉の開閉を制御する扉制御装置１６と、を具備する。認証装置１４は、認証端末１２が識別情報を読み取った時点を含む所定期間において、監視カメラ１１により撮像された映像データから人物の顔を検出して顔周辺の画像を切り出す映像監視部１４１と、認証対象者の顔画像と、映像監視部１４１によって切り出された画像とを並べてモニタに表示させる照合部１４３と、を有する。
【選択図】図１【図１】
0006044911.tif 000002
【図２】
0006044911.tif 000003
【図３】
0006044911.tif 000004
【図４】
0006044911.tif 000005
【図５】
0006044911.tif 000006
【図６】
0006044911.tif 000007
【図７】
0006044911.tif 000008
【図８】
0006044911.tif 000009